(57)【要約】【課題】  ヒータによって加熱されたサウナストーンに直接水を掛けることにより、蒸気を帯びた熱気を発生させるサウナ風呂用ストーブ装置において、水を掛けることによるヒータの破損や故障の発生を防止し、合わせて、加熱された水の飛散による火傷事故等の発生を防止する。【解決手段】  ストーブボックス１の上面口１Ｋに山積みしたサウナストーンＳＮの周辺部を囲むように、防水構造のヒータボックス２を取付け、ヒータボックス２の内部にサウナストーンＳＮを熱するヒータ３を取付ける。【選択図】    図１
2005304926.tif 000002
【特許請求の範囲】
【請求項１】
サウナ用ストーブボックスの上面部にサウナストーンを積載し、このサウナストーンをヒータで加熱し、且つ、加熱されたサウナストーンに水を掛けることにより、サウナ入浴に適した蒸気を帯びた熱気を発生させるように構成したサウナ風呂用ストーブ装置であって、
上記ストーブボックスの上面部に積載されたサウナストーンの周辺部を囲むように、防水構造のヒータボックスを設け、このヒータボックスの内部に上記のサウナストーンを熱するヒータを取付けて、掛けられた水が直接ヒータに掛からないように構成したことを特徴とするサウナ風呂用ストーブ装置。
【請求項２】
前記ヒータボックスの内部に、ヒータの熱を前記積載されたサウナストーンに向けて反射する反射板を設けると共に、上記ヒータボックスの前面開口部を透明な防水兼断熱用のガラス板で塞いで、掛けられた水が直接ヒータに掛からないように構成したことを特徴とする請求項１に記載のサウナ風呂用ストーブ装置。
【請求項３】
上面部にサウナストーンを積載したストーブボックスの内部上側部に、上面部をサウナストーンの積載面とし、且つ、掛けられた水の排水と熱気の通気を兼ねる連通穴を開口した防水構造の仕切板を取付け、この仕切板によって仕切られた上記ストーブボックスの下側内部には、上記連通穴の開口位置からはずれた位置にヒータを取付けることによって、掛けられた水が該ヒータに直接掛からないように構成すると共に、上記ストーブボックスの底面部には、外気の取り入れと排水を兼ねる通気穴を設けたことを特徴とする請求項１又は２に記載のサウナ風呂用ストーブ装置。
【請求項４】
前記ストーブボックスの内底面に、ストーブボックス内に取付けたヒータの熱を上方に反射する反射板を設けたことを特徴とする請求項２又は３に記載のサウナ風呂用ストーブ装置。
【発明の詳細な説明】
【技術分野】
【０００１】
本発明は、サウナ入浴に適した蒸気を帯びた熱気を発生させることができるサウナ風呂用ストーブ装置（サウナ風呂用蒸気熱発生装置）に関するものである。
【背景技術】
【０００２】
従来の一般的なサウナ風呂用ストーブ装置は、例えば特許文献１や図３に見られるように、加熱用ヒータの上に多数のサウナストーンを山積み状に積載し、ヒータによって加熱されたサウナストーンに手桶等で水を掛けることにより、蒸気を帯びた高温の熱気を発生させるように構成されている。
【０００３】
図３は上記従来のサウナ風呂用ストーブ装置の一例を示したものであって、図中、１０はストーブ本体、１１…はストーブ本体１０内に設けた加熱用ヒータ、１２はストーブ本体１０の上側部に取付けたストーンボックスで、ストーンボックス１２の内部及び上側に積載したサウナストーンＳＮ…を各加熱用ヒータ１１…で加熱し、この加熱されたサウナストーンＳＮ…に手桶等を用いて直接水ＷＴ…を掛けることにより、サウナ入浴に適した高温の蒸気熱が発生される仕組に成っている。
【０００４】
また、１２Ｘは上記ストーンボックス１２の周囲と底面を囲むように設けた水受けボックスで、手桶等で掛けられた水ＷＴはこの水受けボックス１２Ｋに受け入れられ、その後、ヒータ１１の熱で加熱、蒸発される。
【特許文献１】実開昭５８−１４７５２４号公報
【発明の開示】
【発明が解決しようとする課題】
【０００５】
しかし、上記従来のサウナ風呂用ストーブ装置は、図３に示すように加熱用ヒータ１１…の上にサウナストーンＳＮを積載した構造であるため、手桶等を用いて掛けた水ＷＴが直接加熱されたヒータ１１に掛かったり、付着したりする場合があり、その結果、ヒータ１１を痛めたり破損させたりして、ヒータ１１の寿命を短くする問題や、ヒータ１１に掛けた水によって漏電事故が発生する等の問題があった。
【０００６】
また、上記ヒータ１１の破損問題は、図３に示すよう水受けボックス１２Ｘを設けることによってある程度は解決することが可能ではあるが、ヒータ１１には可成り多くの水ＷＴが掛けられることから、水受けボックス１２Ｘだけではこれを受けきれずに、こぼれた水ＷＴがヒータ１１に直接掛かったり、或いは、ストーブボックス１０と水受けボックス１２Ｘやストーンボックス１２の隙間から、掛けた水ＷＴが入り込んで加熱されたヒータ１１に付着する場合もあって、ヒータ１１を掛けた水ＷＴから完全に守ることはできなかった。
【０００７】
更に、上記サウナストーンＳＮに掛けた水ＷＴが加熱されて周囲に飛散するため、入浴者や水ＷＴを掛けた者が、飛散する加熱された水（熱湯）によって火傷する事故が跡を絶たなかった。
【０００８】
従って本発明の技術的課題は、ヒータによって加熱されたサウナストーンに直接水を掛けることにより、蒸気を帯びた熱気を発生させるサウナ風呂用ストーブ装置において、水を掛けることによるヒータの破損や故障の発生を防止し、合わせて、加熱された水の飛散による火傷事故等の発生を防止することである。
【課題を解決するための手段】
【０００９】
（１）上記の技術的課題を解決するために、本発明の請求項１に係るサウナ風呂用ストーブ装置は、サウナ用ストーブボックスの上面部にサウナストーンを積載し、このサウナストーンをヒータで加熱し、且つ、加熱されたサウナストーンに水を掛けることにより、サウナ入浴に適した蒸気を帯びた熱気を発生させるように構成したサウナ風呂用ストーブ装置であって、上記ストーブボックスの上面部に積載されたサウナストーンの周辺部を囲むように、防水構造のヒータボックスを設け、このヒータボックスの内部に上記のサウナストーンを熱するヒータを取付けて、掛けられた水が直接ヒータに掛からないように構成したことを特徴としている。
【００１０】
（２）また、本発明の請求項２に係るサウナ風呂用ストーブ装置は、前記ヒータボックスの内部に、ヒータの熱を前記積載されたサウナストーンに向けて反射する反射板を設けると共に、上記ヒータボックスの前面開口部を透明な防水兼断熱用のガラス板で塞いで、掛けられた水が直接ヒータに掛からないように構成したことを特徴としている。
【００１１】
（３）また、本発明の請求項３に係るサウナ風呂用ストーブ装置は、上面部にサウナストーンを積載したストーブボックスの内部上側部に、上面部をサウナストーンの積載面とし、且つ、掛けられた水の排水と熱気の通気を兼ねる連通穴を開口した防水構造の仕切板を取付け、この仕切板によって仕切られた上記ストーブボックスの下側内部には、上記連通穴の開口位置からはずれた位置にヒータを取付けることによって、掛けられた水が該ヒータに直接掛からないように構成すると共に、上記ストーブボックスの底面部には、外気の取り入れと排水を兼ねる通気穴を設けたことを特徴としている。
【００１２】
（４）また、本発明の請求項４に係るサウナ風呂用ストーブ装置は、前記ストーブボックスの内底面に、ストーブボックス内に取付けたヒータの熱を上方に反射する反射板を設けたことを特徴としている。
【００１３】
上記（１）で述べた請求項１に係る手段によれば、サウナストーンを加熱するヒータは防水構造のヒータボックスの内部に設けられているため、サウナストーンに掛けた水がヒータに直接掛かったり付着することがなく、ヒータの破損や故障を防止して、ヒータの寿命を長くすることができると共に、積載されたサウナストーンの周辺部を囲むように設けたヒータボックスが、加熱された水が周辺部へ飛散することを防止するガード機能を発揮するため、火傷事故の発生を防止することができる。
【００１４】
上記（２）で述べた請求項２に係る手段によれば、ヒータボックス内に取付けたヒータは、反射板によってヒータ熱を集中的にサウナストーンに向けて照射できるため、サウナストーンをサウナ入浴に適した温度に加熱することができると共に、サウナストーンに当たってハネた水は、透明な防水兼断熱用のガラスに当たってヒータへの直接的な付着が防止されるため、水の付着によるヒータの破損や故障の発生を防止することができる。
【００１５】
上記（３）で述べた請求項３に係る手段によれば、通気穴を通ってストーブボックス内に導入された外気がストーブボックス内のヒータによって加熱された後、上昇気流と成って仕切板に設け連通穴を通って積載されているサウナストーンに向けて上昇するため、上記ヒータボックス内のヒータによる加熱と相成って、サウナストーンを効率良く、また、効果的に加熱することができると共に、仕切板は掛けられた水がストーブボックス内のヒータに直接ふれることを防止し、また、仕切板は上記ヒータの熱を下側（底面）から受けて加熱されるため、上面に溜まった水を速やかに加熱蒸発させて、ヒータへの付着を防止することができる。
【００１６】
上記（４）で述べた請求項４に係る手段によれば、ストーブボックス内に設けたヒータの熱を反射板が上方に反射するため、通気穴を通してストーブボックス内に導入された外気を効果的に加熱し、且つ、上昇気流と成って仕切板を加熱すると共に、上部に積載したサウナストーンの加熱に役立てることができる。
【発明の効果】
【００１７】
以上述べた次第で、本発明に係るサウナ風呂用ストーブ装置によれば、ヒータによって加熱されたサウナストーンに水を掛けることにより、サウナ入浴に適した蒸気を帯びた熱気を発生させることができるのであるが、本発明では特に、ヒータへの水の付着を防止できるため、ヒータの破損や故障を防止して、製品寿命を長くすることができる利点と、サウナストーンへ掛けた水が周囲へ飛散することを防止して、安全にサウナ入浴を楽しむことができる利点を発揮できるものであって、構造が簡単で実施が容易な点と相俟って、家庭用及び業務用のいずれのサウナ風呂にも低コストにて容易に利用できる特徴を備えている。
【発明を実施するための最良の形態】
【００１８】
以下に、本発明に係るサウナ風呂用ストーブ装置の実施の形態を図面と共に説明すると、図１は本発明の内部構造を説明した正面図、図２はその平面図であって、図中、符号１で全体的に示したのは、サウナ室（図示省略）の内部に設置可能な大きさに構成したストーブボックスで、１Ａ，１Ａはこのストーブボックス１を床面より所定の高さに支持する支持脚、１Ｓはストーブボックス１の内部ヒータ室、ＳＮ…はストーブボックス１の開放された上面口１Ｋ上に略山積み状に積載されたサウナストーンを示す。
【００１９】
サウナストーンＳＮとしては例えば香花石が使用され、且つ、積載された多数のサウナストーンＳＮ…は、上記上面口１Ｋ上に設けた金網製の支持部材４等によって、略山積み状の積載状態が維持される仕組に成っている。
【００２０】
５は上記ストーブボックス１の開放された上面口１Ｋの少し下側部位置に水平に設けた防水構造の仕切板で、ストーブボックス１の内部はこの仕切板５によって上面口１Ｋが開放されたサウナストーンＳＮの積載部と、下側の大きな内部ヒータ室１Ｓの上下２室に仕切られていて、サウナストーンＳＮはこの仕切板５の上面に積載されている。
【００２１】
５Ｈは上記仕切板５の中央部に大きく開口した連通穴、６，６は上記内部ヒータ室１Ｓに設けたストーブボックス１側のヒータ（電熱線ヒータ）で、これ等のヒータ６，６は上記連通穴５Ｈの下側から位置を外して設けられている。また、７…は上記内部ヒータ室１Ｓの底面に設けたヒータ熱の反射板、８…は該底面に開口した外気の取り入れと排水を兼ねる通気穴で、これ等各通気穴８…から矢印の如く内部ヒータ室１Ｓ内に導入された外気は、上記ヒータ６，６に加熱されて上昇気流と成り、上記仕切板５に設けた連通穴５Ｈより上方に積載されたサウナストーンＳＮに向けて上昇し、サウナストーンＳＮを加熱するように構成されている。
【００２２】
また、上記ヒータ６，６の熱は、底面側の反射板７によって全て上方に向けて反射されるため、上記仕切板５を高温に加熱すると共に、高温に加熱された上昇気流を仕切板５の連通穴５Ｈに向けて集中的に送り込んで、上層に積載したサウナストーンＳＮ…を下側から効果的に加熱することができる。
【００２３】
更に図中、２…は上記略山形状に積載されたサウナストーンＳＮ…の四方を囲むように、上記ストーブボックス１の開放された上面口１Ｋの四辺上に取付けた防水構造のヒータボックスで、３…はこれ等各ヒータボックス２内に設けたヒータ（例えば赤外線ヒータ又は近赤外線ヒータ、或いは、ガスヒータ）、２Ｒ…は各ヒータ３から発生する熱を山積みされた上記サウナストーンＳＮに向けて集中的に反射して、サウナストーンＳＮを加熱させる反射板、２Ｗ…は各ヒータボックス２の前面口を塞ぐように取付けた防水兼断熱用（保護用）の透明なガラス板であって、このガラス板２Ｗによって水ＷＴが直接ヒータ３に掛かることを防止できる。
【００２４】
尚、図面に示したストーブボックス１は、平面形状が正四角形状に造られているため、上面口１Ｋに計４本のヒータボックス２…を取付けて、中央に山積みされたサウナストーンＳＮを四方から加熱する仕組に成っているが、これは実施の一例であって、例えばサウナストーブ１の平面形状が円形状である場合は、１本又は複数本のヒータボックス２…を用いて、ヒータボックス２の全体形状を円形状に造って、中央に山積みされたサウナストーンＳＮをその周囲から加熱することになる。
【００２５】
また、ヒータボックス２による加熱量が少ない場合は、図１において点線で示すようにヒータボックス２を２段又は２段以上の多段式に構成して、加熱量の増量を図ることも可能である。
【００２６】
本発明に係るサウナ風呂用ストーブ装置は以上述べた如き構成であるから、ストーブボックス１の上面口１Ｋに略山積み状に積載されたサウナストーンＳＮ…を、サウナストーンＳＮ…の四方、又は、周囲に設けたヒータボックス２…内のヒータ３…が直接加熱し、更に、サウナストーンＳＮはストーブボックス１内に設けたヒータ６によって加熱されて上昇する熱気流によっても加熱されるため、サウナ入浴に適した熱気を発生させることができる。
【００２７】
そして、図１に示すように加熱されたサウナストーンＳＮに対して手桶等を用いて水ＷＴを掛けることにより、サウナ入浴に適した蒸気を帯びた熱気が発生されるため、サウナ室内を蒸気熱を吹くんだまろやかな熱気で包むことができる。
【図面の簡単な説明】
【００２８】
【図１】本発明に係るサウナ風呂用ストーブ装置の全体と内部構造を説明した正面図。
【図２】本発明に係るサウナ風呂用ストーブ装置の平面図。
【図３】従来例の構成図。
【符号の説明】
【００２９】
１          ストーブボックス
１Ｋ        上面口
１Ｓ        ヒータ室
２          ヒータボックス
２Ｒ        反射板
２Ｗ        ガラス板
３          ヒータ
５          仕切板
５Ｈ        連通穴
６          ヒータ
７          反射板
８          通気穴
ＳＮ        サウナストーン
ＷＴ        水
【図１】
2005304926.tif 000003
【図２】
2005304926.tif 000004
【図３】
2005304926.tif 000005